(57)【特許請求の範囲】
【請求項１】
コインを収容するケーシングＡと、該ケーシング内に設けられたコインを水平に移動させるコイン移動フロアとコインを分別するコイン分別孔と、コインを洗浄する洗剤Ａを溜める洗剤溜めＡと、洗剤Ａが出入りする洗剤孔Ａと、コインを投入するための開閉式投入口と、コインを取り出すための透明或いは半透明の開閉蓋Ａと、該開閉蓋Ａと該ケーシングＡの間隙より洗剤Ａの漏洩を防止するシール部Ａと、該開閉蓋Ａとシール部Ａを密着固定させる留め金Ａと、コイン用ケーシングＡに連結し、紙幣を収納するケーシングＢと、該ケーシングＢ内に設けられた紙幣を階段状に段差配列させる紙幣配列フロアと、紙幣を洗浄する洗剤Ｂを溜める洗剤溜めＢと、紙幣を出し入れする透明或いは半透明の開閉蓋Ｂと、該開閉蓋Ｂと該ケーシングＢの間隙より洗剤Ｂの漏洩を防止するシール部Ｂと、該開閉蓋Ｂとシール部Ｂを密着固定させる留め金Ｂとからなることを特徴とする貨幣分別洗浄ケース。
【請求項２】
前記コイン移動フロアは、ケーシングＡ内の底面に平行に配置され、平滑な板であることを特徴とする請求項１記載の貨幣分別洗浄ケース。
【請求項３】
前記洗剤溜めＡは、ケーシングＡの底面に平行に配置され、コイン移動フロアに開けられた洗剤孔Ａを通じて該ケーシングＡ内に洗剤Ａを流入させ、叉は該洗剤孔Ａを通じて該ケーシングＡから洗剤Ａを回収収納することを特徴とする請求項１記載の貨幣分別洗浄ケース。
【請求項４】
前記コイン分別孔は、コインをコインの外径別に分別するコイン分別孔において、孔の形状が、矩形もしくは該矩形を含有する形状及び又は楕円もしくは該楕円を含有する形状であることを特徴とする請求項１記載の貨幣分別洗浄ケース。
【請求項５】
前記コイン分別孔の形状である矩形及び又は楕円が、一経済圏に於て流通しうるn種の直径A1,A2,A3,．．．Ai,Ai+1．．．An[mm]を有するコイン群の直径を実長外径といい、該実長外径の大きさの序列が
A1<A2<A3<．．．<Ai<Ai+1．．．<Anであり、
各外径の両端から外径の直線方向にαmmずつあそび長さを付与した外径を実用外径a1,a2,a3,．．．ai,ai+1．．．an[mm]といい、
即ち、
a1=A1+2α
a2=A2+2α
.
.
ai=Ai+2α
ai+1=Ai+1+2α
.
.
an=An+2α
であり、
nは自然数であり、
iは１からｎまでの整数
であるとき、
あそび長さαが
0<α<0.45(Ai+1-Ai)
であり、
長辺Xとその対角線Yが
X=aiであり、  ai<Y<Ai+1
である矩形であること
及び又は長軸Xが
X=ai 
である楕円であることを特徴とする請求項４に記載の貨幣分別洗浄ケース。
【請求項６】
前記コイン分別孔は、該分別孔の矩形及び又は楕円の周辺枠の一部が該コイン移動フロアに接しており、該コイン移動フロア上に該分別孔の大きい順に少なくとも一個以上設置されていて、該フロアと該分別孔の枠が分別済みコインを収納する分別収納領域を形成することを特徴とする
請求項１乃至請求項５の何れかに記載の貨幣分別洗浄ケース。
【請求項７】
前記紙幣配列フロアは、該ケーシングＢの互いに平行な底面及び上面に傾斜角度を有して配置され、該底面に該紙幣配列フロアの上辺のみが接し、且つ該底面及び該上面に直角な該ケーシングＢの側壁とは直角を有して配置されることを特徴とする請求項１記載の貨幣分別洗浄ケース。
【請求項８】
前記洗剤溜めＢは、ケーシングＢ内の壁面及び又は該紙幣配列フロアに配置され、該ケーシングＢの壁面及び又は該紙幣配列フロアに開けられた洗剤孔Ｂを通じて該ケーシングＢ内に洗剤Ｂを流入させることを特徴とする請求項１記載の貨幣分別洗浄ケース。
【請求項９】
前記洗剤Ａ及びＢは、貨幣洗浄作用を有する液体、固体、及び又は気体であることを特徴とする請求項１記載の貨幣分別洗浄ケース。
【請求項１０】
前記留め金Ａ及びＢは、該開閉蓋閉時に該ケーシング側壁に開けられたテーパー型雌孔脱気孔を塞ぎ、該開閉蓋開時に該脱気孔を開放する該テーパー型雌孔との密着先端を有するピンよりなり、一ケーシングに該留め金が一個以上設置されることを特徴とする請求項１記載の貨幣分別洗浄ケース。
【発明の詳細な説明】
【技術分野】
【０００１】
この発明は貨幣を洗浄しながら、大小の貨幣を分別収納採取できる貨幣分別洗浄ケースと、貨幣が既に清潔な状況に在る場合に大小の貨幣を分別収納採取できる貨幣分別ケースに関する。本発明に於ける洗浄とは各種洗剤により洗浄及び又は殺菌する操作を意味し、洗剤とは液体、固体及び又は気体の形態を成す洗浄力及び又は殺菌力を有する単一物質或いは複合の組成物質であることを意味する。
【背景技術】
【０００２】
従来の貨幣ケース、即ち物品の売買支払に際し、貨幣を収納し計数採取する道具である財布、或はコインバッグなどには、貨幣を洗浄し且つ、大小の貨幣を迅速、簡便に分別収納する機能がない。
コインをその外径別に分別孔により分別することは知られている。
実公昭62−13170号公報には、コインをスロープに沿って降下させ、コイン外径よりも高さ寸法、幅寸法が僅かに大きい分別孔を小さい順にスロープに沿って設けてコインを分別する分別機が記載されている。
また、登録実用新案３００１１１０号公報には、コインをスロープに沿って降下させ、コイン分別孔の少なくとも一つの横寸法を、対応するコインの外径より小さくした分別孔を小さい順にスロープに沿って設けてコインを分別する分別機が記載されている。
また、実開平02-105725号公報には消毒気体を財布内部に充満させることで貨幣即ち紙幣及びコインを消毒することが記載されている。
【特許文献１】特開２００１−１３７０２７号公報
【特許文献２】登録実用新案第３０６３４０９号、
【特許文献３】登録実用新案第３０５８４５２号
【特許文献４】登録実用新案第３００１１１０号
【特許文献５】実公昭６２−１３１７０号公報
【特許文献６】実開平０２−１０５７２５号公報
【発明の開示】
【発明が解決しようとする課題】
【０００３】
しかしながら、以上の技術によれば、従来の貨幣ケースでは、流通貨幣の汚染が人間の指先を汚染し細菌の感染伝搬の原因となりえ、且つ大小コインの夾雑収納状態がコインの計数採取を困難にしていた。
また、コインをスロープで移動降下させ、該スロープに沿って設置された分別孔により外径別に分別するコイン分別機の機作では、コイン分別収納の領域が生ぜず、更にスロープに沿って並ぶ分別孔の配置と分別孔の形状条件では一般のコインケースの空間領域より大きくなることからコインケースに用いることが出来ない。
また、消毒気体を財布内に充満させるのみの貨幣処理法は、消毒気体が財布外に常に流出し、消毒剤臭気及び消毒影響が財布外雰囲気に意図せず影響を及ぼす弊害が発生し得、且つ貨幣の計数採取を利する貨幣の分別配列機能が皆無である。
そこで、この発明は、貨幣の洗剤を外部に漏洩させることなく、貨幣の洗浄と分別収納を同時に達成させ、洗浄済み貨幣の計数採取を容易にする貨幣分別洗浄ケースと、貨幣が既に清潔な状況に在る場合、例えば、前記貨幣分別洗浄ケースが貨幣の清潔を保持するに十分な程度に普及使用されている場合などに、貨幣の迅速簡便な分別収納計数採取機能のみを与える貨幣分別ケースを提供することを課題とする。
【課題を解決するための手段】
【０００４】
以上の課題を解決するために、本発明によれば、コインを収容するケーシングＡと、該ケーシング内に設けられたコインを水平に移動させるコイン移動フロアとコインを分別するコイン分別孔と、コインを洗浄する洗剤Ａを溜める洗剤溜めＡと、洗剤Ａが出入りする洗剤孔Ａと、コインを投入するための開閉式投入口と、コインを取り出すための透明或いは半透明の開閉蓋Ａと、該開閉蓋Ａと該ケーシングＡの間隙より洗剤Ａの漏洩を防止するシール部Ａと、該開閉蓋Ａとシール部Ａを密着固定させる留め金Ａと、コイン用ケーシングＡに連結し、紙幣を収納するケーシングＢと、該ケーシングＢ内に設けられた紙幣を階段状に段差配列させる紙幣配列フロアと、紙幣を洗浄する洗剤Ｂを溜める洗剤溜めＢと、紙幣を出し入れする透明或いは半透明の開閉蓋Ｂと、該開閉蓋Ｂと該ケーシングＢの間隙より洗剤Ｂの漏洩を防止するシール部Ｂと、該開閉蓋Ｂとシール部Ｂを密着固定させる留め金Ｂとからなることを特徴とする貨幣分別洗浄ケースが提供される。
本発明の各装備においては、
１，前記コイン移動フロアは、該ケーシングＡ内の底面に平行して配置され、底面を覆う平滑な板であることを特徴とするコイン分別洗浄ケースである。
２，前記洗剤溜めＡは、該ケーシングＡの底面に配置され、該コイン移動フロアに開けられた洗剤孔Ａを通じて該ケーシング内に洗剤Ａを流入させ、或は該洗剤孔Ａを通じて該ケーシングから洗剤Ａを回収収納することを特徴とする貨幣分別洗浄ケースである。
３，前記コイン分別孔は、コインをコインの外径別に分別するコイン分別孔において、孔の形状が、矩形もしくは該矩形を含有する形状及び又は楕円もしくは該楕円を含有する形状であることを特徴とする貨幣分別洗浄ケース。
4,前記コイン分別孔の形状である矩形及び又は楕円が、一経済圏に於て流通しうるn種の直径A1,A2,A3,．．．Ai,Ai+1．．．An[mm]を有するコイン群の直径を実長外径といい、該実長外径の大きさの序列が
A1<A2<A3<．．．<Ai<Ai+1．．．<Anであり、
各外径の両端から外径の直線方向にαmmずつあそび長さを付与した外径を実用外径a1,a2,a3,．．．ai,ai+1．．．an[mm]といい、
即ち、
a1=A1+2α
a2=A2+2α
.
.
ai=Ai+2α
ai+1=Ai+1+2α
.
.
an=An+2α
であり、
nは自然数であり、
iは１からｎまでの整数
であるとき、
あそび長さαが
0<α<0.45(Ai+1-Ai)
であり、
長辺Xとその対角線Yが
X=aiであり、  ai<Y<Ai+1
である矩形であること
及び又は長軸Xが
X=ai 
である楕円であることを特徴とする貨幣分別洗浄ケースである。
５，前記コイン分別孔は、該分別孔の矩形及び又は楕円の周辺枠の一部が該コイン移動フロアに接しており、該コイン移動フロア上に該分別孔の大きい順に少なくとも一個以上設置されていて、該フロアと該分別孔の枠が分別済みコインを収納する分別収納領域を形成することを特徴とする貨幣分別洗浄ケースである。
６，前記紙幣配列フロアは、該ケーシングＢの互いに平行な底面及び上面に傾斜角度を有して配置され、該底面に該紙幣配列フロアの上辺のみが接し、且つ該底面及び該上面に直角な該ケーシングＢの側壁とは直角を有して配置されることを特徴とする貨幣分別洗浄ケースである。
７，前記洗剤溜めＢは、ケーシングＢ内の壁面及び又は該紙幣配列フロアに接して配置され、該ケーシングＢの壁面及び又は該紙幣配列フロアに開けられた洗剤孔Ｂを通じて該ケーシングＢ内に洗剤Ｂを流入させることを特徴とする貨幣分別洗浄ケースである。
８，前記洗剤Ａ及びＢは、貨幣洗浄作用を有する液体、固体、及び又は気体であることを特徴とする貨幣分別洗浄ケースである。
９，前記留め金Ａ及びＢは、該開閉蓋閉時に該ケーシング側壁に開けられたテーパー型雌孔脱気孔を塞ぎ、該開閉蓋開時に該脱気孔を開放する該テーパー型雌孔と密着する雄型先端を有するピンよりなり、一ケーシングに該留め金が一個以上設置されることを特徴とする貨幣分別洗浄ケースである。
【発明の効果】
【０００５】
本発明によれば、コインの分別収納により、特に、消費税発生後の1円アルミ貨幣の増加により生じたコインの在庫計数及び計数採取の困難が解消され、更に紙幣の配列収納或いは配列分別収納により紙幣の在庫計数及び計数採取が迅速になり、同時に流通貨幣の汚染が防止されることから,それに触れる人間の指先の清潔が保持され、その清潔と貨幣の清潔さが社会全般に伝搬し、人体及び環境の衛生に寄与する効果大をもたらす。
「人から人にきれいを伝えるのは、あなたの指先、あなたの貨幣」などの新たな環境衛生マナーの発生を促す。
本発明ケースにより、汚染媒体であったコインは、洗浄、分別、計数採取され、抗菌コートされて該ケースより出て、指から指、人から人へ抗菌能を伝搬する衛生媒体のコインに変容する。その結果、指−貨幣−指−口の汚染伝染経路が、集中的持続的に殺菌され、広範囲で緻密な清潔ネットが私たち直近の生活環境に、新たに形成され、新たな細菌、ウイルスの発生、猛威に実質的、効率的に対抗することに寄与することが出来る。
【発明を実施するための最良の形態】
【０００６】
この発明の一実施形態を、図１に示す。
ケーシングの本体は手のひらに収まる直方体であり、ケーシングＡ内に上部と下部の2段のコイン分別孔４，３が該ケーシングの長軸方向に直角に設置されており、開閉式コイン投入口９から投入された大、中、小のコイン群は、重力と水平方向の手による振動によりコイン移動フロア10上を該フロアに平行に移動し、上部分別孔４にコインエッジが接触すると、大コインの閉塞滞留と、中、小コインの挿入通過がなされ分別が生じる。更に通過コインは下部分別孔３に到り、中コインが留まり、小コインが通過して、大、中、小のコインが分別される。同時にケーシングＡ底面に設置された洗剤溜めＡ７から洗剤Ａがコイン移動フロア10に開けられた洗剤孔Ａ８を通りケーシング内に流入し、移動中のコインに触れてコインを洗浄する。該洗剤Ａは開閉蓋Ａ２と該ケーシングの間隙に位置するシール部Ａ５および留め金Ａ１のシール機能によりシールされ、外部に漏洩せず、ケーシング本体を水平にすることにより、洗剤孔Ａ8を通り洗剤溜めＡ7に回収される。ケーシング内のコインの分別洗浄状態は透明な開閉蓋Ａ２を通して観察され、洗剤Ａが回収された水平状態で該留め金Ａ１が解除され、該透明開閉蓋２が開けられ、分別洗浄されたコインが計数採取される。
該洗剤Ａには30%エタノール水溶液を洗剤溜めＡ容量の約90%程度の容量で用いる。
一方、洗剤だめＡ７に接している紙幣収納ケーシングＢ11内に紙幣配列フロア１２が設置されており、該フロアの傾斜により、二つ折りの紙幣１３が階段状に段差配列されるので紙幣の分別収納及び迅速計数採取が可能になる。
更に、紙幣配列フロア１２に設置された洗剤溜めＢ１４から洗剤Ｂが昇華気体として洗剤孔Ｂ１５から紙幣収納ケーシングＢ１１内に入りシール部Ｂ１６と留め金Ｂ１７のシール機能により外部漏洩することなくケーシングＢ１１内に充満し紙幣１３を殺菌する。
分別殺菌状態の紙幣は、留め金Ｂ１７を解除し、透明開閉蓋Ｂ１８を開けて、計数採取される。
該洗剤Ｂにはパラクロールメタキシレノールの１０分の一希釈物を用いた。
【０００７】
「実施形態の効果」
この実施形態によれば、コイン分別孔の断面は矩形であり、その長辺Xがiコインの実用外径aiであり、その対角線Yが、iコインの実用外径aiより大きく、iコインの次に大きいi+1コインの実長外径Ai+1より小さいことにより、該分別孔はi以下のコインとi+1以上のコインを分別する。即ちi以下のコインを通過させ、i+1以上のコインを留める。
iコインの実用外径aiはiコインの実長外径Aiに、同コイン直径上の両端に設けた、コインの分別孔通過を容易迅速ならしめる、あそび長さ２αを加えた長さである。
即ち  ai = Ai + 2α     であり、
本発明によると、分別矩形孔の長軸Ｘはコイン実用外径aiに等しくとり、
即ち  X = ai    であり、
該矩形の対角線Ｙは、iコインとi+1コインを分別するために実長外径Ai+1より常に小さくとらねばならない。
即ち  ai < Y < Ai+1  である。
あそび長さαの値が大きいほど、つまり、矩形のX及びＹ値がAi+1に近ずくほどコインiは分別孔iを迅速容易に通過するが 、
αを増大させてゆき、長軸Ｘ及び対角線Ｙがコインi+1の実長外径Ai+1と等しく成ったとき、コインi+1は分別孔iを通過し両コインは分別不能になる。
両コインの分別が最も迅速且つ正確に達成されるには、
i矩形の長軸Ｘiとi+1コインの実長外径Ai+1 の差より小さい値Dが有限可及的に最小値で存在することである。
同様に、i矩形の対角線Ｙiとi+1コインの実長外径Ai+1 の差より小さい値Ｅが有限可及的に最小値で存在することである。
即ち  ０＜D＜｛［Ai+1］-Ｘi｝=｛［Ai+1］-[Ai+2α]｝            （１）
０＜E＜｛［Ai+1］-Ｙi｝=｛［Ai+1］-[Ai+2α]/cosδi｝          （２）
但し  δi  はＸiとＹiのなす角である。
今、工作可能な有限可及的最小値Eを0.1mmに固定する。
つまりY=［Ai+1］-0.1mm  に固定する。角δは可動である。
０＜ｒ＜１  としてもう一方の有限可及的最小値Dを  D=r{[Ai+1]-[Ai]} で表し、
ｒをあそび係数と定義し、ｒが小さいほど矩形の加工精度が上昇する。
式（１）より
r{[Ai+1]-[Ai]}＜｛［Ai+1］-Ai-2α｝であり、
あそび長さαの許容範囲をあそび係数ｒで表すと
0＜α＜0.5(1-r){[Ai+1]-[Ai]}  になる。
コイン分別孔の加工精度及び材質が精密超硬材料(WC-Ti-Cr系等)である場合、
あそび係数r≧0.10の加工精度が可能で、
あそび長さは  α≦0.45{[Ai+1]-[Ai]}  、
(例えば、50円Ai=21mm、5円Ai+1 =22mm、[Ai+1]-[Ai]=1mm、の分別では、矩形長軸ＸのD値は0.10mmで、X= 21.9mmとなりこの場合矩形を形成するには、Y値が21.9mm＜Y＜22.0mmでなければならない。)
コイン分別孔の加工精度及び材質が切削加工で特殊合金(Al-Zn-Mg系合金等)である場合、或は粉末冶金法の精密超硬材料(WC-Co系合金等)の場合、
r≧0.2の加工精度が可能で  
α≦0.40{[Ai+1]-[Ai]}  、  (50円、5円の分別でD値が0.2mmの時
Ｘ=21.8mm,Y=21.9mmの矩形が形成される。)
コイン分別孔の加工精度及び材質が通常押出加工で汎用合金(Al合金等)や
特殊樹脂(PC等エンジニアリング樹脂)である場合、
r≧0.4の加工精度が可能で  
α≦0.30{[Ai+1]-[Ai]}  、(50円、5円分別のD値が0.4mmの時、X=21.6mm、Y=21.9mmの矩形が形成される。)
コイン分別孔の加工精度及び材質が通常の押出加工で汎用硬質樹脂(ABS等)である場合、
r≧0.60の加工精度が可能で  
α≦0.20{[Ai+1]-[Ai]}  、(50円、5円分別のD値が0.60mmの時、X=21.40mm、
Ｙ=21.9mmの矩形が形成される。)
コイン分別孔の加工精度及び材質が通常押出加工で汎用樹脂(PEやPP等)である
である場合、
r≧0.80の加工精度が可能で
α≦0.10{[Ai+1]-[Ai]}  、(50円、5円分別のD値が0.80mmの時、X=21.20mm、
Ｙ=21.9mmの矩形が形成される。)
本発明の実施形態における分別孔の加工精度及び材質は、分別性能(速度及び正確さ)を阻害しない経済性の追究で決定され、あそび係数ｒが0.20より小さくなると、50円、5円の分別例では、あそび長さαが0.4mmより大きくなり、50円の分別孔通過が極めて迅速容易になり分別性能が向上するが、0.20mmより小さい加工精度と形状維持が要求され、精密加工、高価格超硬材料が必要になり製造コストが高騰し経済性が低下する。あそび係数rが0.95より大きくなると、50円と５円の分別例では加工精度が0.95mm程度の精度でも良く、汎用的な加工工程及び材料が使用され、製造コストを低減できるが、あそび長さαが0.05mmより小さく、コインの分別孔通過速度が遅くなり分別性能が低下する。更に分別孔の通過抵抗が増大して、分別孔の材質が安価で柔らかな場合、形状が損傷し、分別性能低下に繋がる。
従って、好ましい実施形態はあそび係数値rの表示では、0.1＜ｒ＜1.0
より好ましくは、0.1＜ｒ＜0.80であり、
あそび長さαによる表示では０＜α＜0.45{[Ai+1]-[Ai]}  、
より好ましくは、0.1{[Ai+1]-[Ai]}＜α＜0.45{[Ai+1]-[Ai]}  
である。
但し、矩形孔の長軸Ｘは  X=ai=[Ai]+２α、
対角線Yは  ai＜Y＜[A i+1] であり、
Y値はこの間で固定値であっても変動値であってもかまわない。
日本国内で流通する各種コインの実長外径と実用外径の実施範囲と実施例と、コイン分別孔の諸寸法(X,Y,及びα)の実施範囲と実施例を図２の表１に示す。
但し、コインが分別孔を通過しやすくするあそび長さαをα＝0.2(Ai+1-Ai)とした。
日本でのコイン実長外径の序列は1円＜50円＜5円＜100円＜10円＜500円である。
図１の上部分別孔４は図２の表１の分別孔No.4の矩形分別孔で500円と10円のコインを留め、100円,5円,50円,及び１円のコインを通過させることができる。
更に、下部分別孔３は、図２の表１の分別孔No.2の矩形分別孔で100円及び5円のコインを留め、50円及び1円のコインを通過させることができる。
この結果、該六種のコイン群を三区分に分別収納することができる。
図１のごとく、該ケーシングを縦に操作するコイン分別操作が同時に、コイン洗液とコインの接触及び移動を促進させ、叉、該ケーシングを水平にし、該開閉蓋２を開けコインを計数採取する操作が同時に、洗液の洗剤溜め７への回収収納の操作になることにより、
殺菌洗浄されたコインの計数採取が実質的に簡便に達成され繰り返される。
【０００８】
「他の実施形態」
図１の実施形態では、図２．表１のNo.2及びNo.4の矩形分別孔を六個ずつ２段にしてコインを分別したが、他の実施形態では、特にコインを多量に分別処理する場合には、図３に示すように、一種類の矩形分別孔を更に多数個連結して分別孔面積を広げ、該分別孔とコインの接触機会を高めるようにケーシング内へ分別孔を設置したもの、或は楕円分別孔を単独乃至数個連結したもの、或は矩形分別孔の該矩形を含む形状、例えば該矩形を内接する円形孔(図６)、該矩形の４頂点を共有する円弧面(図７)を分別孔とするものなど該矩形を含み該矩形と同様のコイン分別機能を発揮するすべての形状のもの、或は矩形分別孔の矩形の長辺及び短辺につき両者の長さが図８、図９及び図１０に示すごとく自在にその長短の調節が可能になる板により該分別孔の矩形が形成される（以後この矩形孔を自在矩形孔と呼ぶ）ものでも良い。
更に、図１の実施形態では、ケーシングについて、その形状が直方体であるが、他の実施形態では、例えば図３に示すごとく、図２、表１のNo.2矩形分別孔を連結配置した様に、分別孔の配置の仕方に応じたケーシングの形態を取りうる。本発明のコインの分別収納機能或は洗浄機能を損なわない範囲に於て、意匠デザイン、ハンドリング、携帯性、及び堅牢性を配慮したどのような形態及び材質のものでも良い。例えば、ケーシング及びコイン分別孔の材質は、PE、PP、PVC、ABS、PA、P0M、PC、PBT、PET、PS、PPS、及びPMMAの様な硬質樹脂や、アルミニウム、アルミニウム合金及びマグネシウム合金の様な金属が用いられる。特に分別孔の材質はその矩形孔或は楕円孔へのコインの機械的打撃に耐久性である必要があるので、粉末冶金法によるWC-Co系やWC-TiC-Cr系の超硬合金や、Al-Zn-Mg系アルミニウム合金の硬さや強度レベルの高い材質が有効である。シール材の材質は劣化硬化を避け弾性を恒久維持する材質として各種ゴム類特にシリコーンゴムやオレフィン系やナイロン系など各種TPE（熱可塑性エラストマー）が有効に使用される。
図１の実施形態では、洗液について、該洗液には３０容量％エタノール水溶液が洗液溜めの容量の約90%の容量で用いられたが、他の実施形態では、75から82容量％のエタノール水溶液、エタノール原液、エタノール100ml中に塩化ベンザルコニウムを含有する塩化ベンザルコニウムエタノール溶液、イソプロパノール、グリセリン、グリセリン−エタノール−水混液、カチオン系あるいは両性界面活性剤の0.02%〜0.5%液、ヨウ素を25〜100ppm含有するポピドンヨードなどヨウ素系液体、あるいはカテキン水溶液などコイン及び人間の指先に対し殺菌洗浄作用があり、洗液溜めに収納して流動性を発揮する物質であればどのようなものでも良い。
更に、ヒノキチオール、パラクロールメタキシレノール、樟脳等のように昇華性の抗菌剤をそのままか、セルロースや無機粉体に担持させ、固体化希釈したものを本器ケーシング底部や蓋部に固定設置し、本ケース内で昇華気化させ、その抗菌性ガスのコイン及び又は紙幣の表面吸着あるいは付着により、コイン及び又は紙幣を殺菌するものでもよい。
このような昇華性抗菌剤を本器の洗剤Ａ及び洗剤Bとして共通に用いる、即ち本器のケースＡ及びケースＢの境界部位に一種類の昇華性抗菌剤を固定設置し両ケース内に同時に同一昇華性抗菌ガスをケース外に漏洩することなく導入するものでもよい。
コイン及び指先の殺菌及び洗浄を人体に副作用なく本発明器材に弊害なく同時に実施し、更に衛生媒体としてのコイン及び指先の抗菌性の持続を重視するために、以下のような種々機能剤の複合の組成物質を水に溶解させた水溶液であってもよい。
即ち、機能材としては、殺菌剤として酢酸トコフェロール、塩化セチルピリジニウム、トリクロサン、1,8−シネオール、サリチル酸メチル、及びＬ−メントール等、洗浄剤として酵素、ヤシ油脂脂肪酸アミドプロピルベタイン液、三リン酸５ナトリウム、ラウリル硫酸ナトリウム等、抱接徐放剤としてシクロデキストリン等、湿潤剤としてグリセリン或いはソルビット類、保存剤としてメチルパラベン、ブチルパラベン、安息香酸、ココイルアルギニンエチル等、香味剤として香料、サッカリンナトリウム等、ＰＨ調整剤としてクエン酸ナトリウム、リン酸ナトリウム、漂白剤として過硫酸塩、過ホウ酸塩等の機能材を溶剤としてのエタノール類や可溶化剤としてのポリオキシエチレン硬化ヒマシ油、ポリオキシエチレンポリオキシプロピレングリコール等に適宜の組成比で溶解した組成物を水で適宜に希釈した水溶液であってもよい。
更に、コインが以上の様な洗浄殺菌剤で既に洗浄されているような、清潔な状況に在る場合、又は昇華性の固形抗菌剤を本器内に設置して用いる場合、該コイン分別洗浄ケースから該洗浄装備を除いた、図１１に示すような本発明のコインの分別収納機能のみを有するコイン分別ケースであってもよい。
【実施例１】
【０００９】
図１のコイン洗浄分別ケースに於て、分別孔の材質にアルミニウム純度96.85%のAl-Mn系合金を用い、あそび長さをα＝0.2{[Ai+1]-[Ai]}  とし、
図２．表１に示すごとく、No.2矩形孔の長軸Ｘを21.4mm、対角線Ｙを21.9mm、No.4矩形孔の長軸Ｘを22.9mm対角線Ｙを23.4mmとし、30%エタノール水溶液を液溜め容量の９０％容量用い、標準コイン群を[500円２枚、10円4枚、100円3枚、5円4枚、50円3枚、1円6枚]と設定し、図１のコイン洗浄分別ケースに投入後、ユニバーサル（株）製振盪機SHK-300Nに縦に装着し、60サイクル／分で上下に振盪した。
10秒おきにコイン分別状態を観察し、分別完了時間を測定したところ、20秒で図１の様な分別が完了した。
【００１０】
「比較例１」
あそび長さα＝０とし、No.2矩形孔の長軸Ｘを21.0mm（50円の実長外径）、No.4矩形孔の長軸Ｘを22.5mm（100円の実長外径）とした以外は全て実施例１と同様に行い、標準コイン群の分別完了時間を測定したところ、図１の様な分別が完了するのに40分を要した。
分別孔によるコインの反発機会が実施例１より多く観察された。
【実施例２】
【００１１】
標準コイン群と30%エタノール水溶液100mlに塩化ベンザルコニウム0.1gを溶解した洗浄殺菌液を図１のコイン分別洗浄ケースに洗液溜め容量の９０％容量入れ、60サイクル／分の速度で0.5hr振動させ、その中の１円硬貨4枚を抗菌試験方法JISZ2801  5.2項を参照して測定したところ生菌の発生は認められなかった。
【００１２】
「比較例２」
同様の標準コイン群を、洗浄殺菌液を使用しない以外は実施例２と全く同様にして、図１のコイン分別洗浄ケースに入れ、60サイクル／分の速度で0.5hr振動させ、１円硬貨4枚を抗菌試験方法JISZ2801  5.2項を参照して測定したところ生菌の発生が見られた。
実施例２及び比較例２に於けるJISZ2801  5.2項を参照した抗菌試験法
試験片として一円アルミ硬貨４枚をシャーレに入れ、
抗菌効果を示さないフィルムで各試験片の上面を覆う。
これを３５℃、９０％ＲＨ以上２４時間保存後、各試験片表面を洗い出し、
洗液を寒天培地にて培養し生菌数を計数した。
実施例２の４枚のアルミ硬貨の生菌計数値  ０個
比較例２の４枚のアルミ硬貨の生菌計数値  ２７０個
比較対照フィルムの生菌計数値  ０個
【図面の簡単な説明】
【００１３】
【図１】この発明の一実施形態を示す平面図、立面図及び側面図である。
【図２】この発明の一実施形態を示す日本国内に流通しているコイン群とコイン分別孔の形状寸法と該形状寸法の実施範囲及び実施例を示す表１である。
【図３】この発明の一実施形態を示す斜視図である。
【図４】この発明の一実施形態を示す米国内に流通しているコイン群とコイン分別孔の形状寸法と該形状寸法の実施範囲及び実施例を示す表2である。
【図５】この発明の一実施形態を示すEU域内に流通しているユーロコイン群とコイン分別孔の形状寸法と該形状寸法の実施範囲及び実施例を示す表3である。
【図６】この発明の矩形分別孔の矩形を内接により含有する円形の分別孔の図である。
【図７】この発明の矩形分別孔の矩形の４頂点を共有することにより矩形を含有する円弧面の分別孔の図である。
【図８】この発明の自在矩形分別孔の正面図である。
【図９】この発明の自在矩形分別孔の平面図である。
【図１０】この発明の自在矩形分別孔の右側面図である。
【図１１】この発明のコイン分別ケースである。
【図１２】この発明の一実施形態を示す中華人民共和国内に流通しているコイン群とコイン分別孔の形状寸法と該形状寸法の実施範囲及び実施例を示す表４である。
【図１３】この発明の一実施形態を示す香港域内に流通しているコイン群とコイン分別孔の形状寸法と該形状寸法の実施範囲及び実施例を示す表５である。
【図１４】この発明の一実施形態を示す大韓民国内に流通しているコイン群とコイン分別孔の形状寸法と該形状寸法の実施範囲及び実施例を示す表６である。
【図１５】この発明の一実施形態を示す豪州国内に流通しているコイン群とコイン分別孔の形状寸法と該形状寸法の実施範囲及び実施例を示す表７である。
【図１６】この発明の一実施形態を示すインド国内に流通しているコイン群とコイン分別孔の形状寸法と該形状寸法の実施範囲及び実施例を示す表８である。
【図１７】この発明のケーシングの留め金一実施形態を示す透視図である。
【符号の説明】
【００１４】
（図１）１  留め金Ａ            ２  コイン取出透明開閉蓋Ａ  
３  下部コイン分別孔（図２表１N0.2矩形分別孔）  ４  上部コイン分別孔（図２表１N0.4矩形分別孔）  ５  洗剤漏洩防止シールＡ  ６  ケーシング上部  ７  洗液溜めＡ  ８  洗液孔Ａ    ９  開閉式コイン投入口    10 コイン移動フロア  11 紙幣収納ケ?スB   12 紙幣配列フロア  13 二つ折り紙幣  
14 洗剤だめＢ  15 洗液孔Ｂ  16 洗剤漏洩防止シールＢ  17 留め金Ｂ  18 紙幣収納取出透明開閉蓋Ｂ  19 開閉蓋Ｂ回転軸  20 開閉蓋Ａ回転軸  21 分別状態コイン 22 コイン収納ケ?スＡ
（図３）１  洗液溜め            ２  外部ケーシング円周部
３  洗液孔  ４  コイン分別孔（図２表１N0.2矩形分別孔）  ５  開閉蓋の回転固定軸  ６  洗液漏洩防止シール  ７  コイン取出透明開閉蓋  ８  内部ケーシング  
９  50円硬貨  １０  1円硬貨    １１  500円硬貨  １２  100円硬貨
１３  5円硬貨    １４  10円硬貨  １５  開閉式コイン投入口  16 コイン移動フロア
（図６）１  本発明の矩形分別孔の矩形を含有する円形分別孔        ２  本発明の矩形分別孔の矩形
（図７）１  本発明の矩形分別孔の矩形を含有する円弧形分別孔        ２  本発明の矩形分別孔の矩形
（図８）１  本発明の自在矩形分別孔の矩形の長辺を形成する固定板    ２  本発明の自在矩形分別孔の矩形の短辺を形成する移動板    ３  自在矩形孔の短辺の移動板２を左右させて長辺の長さを調節するビス    ４  自在矩形孔の長辺を形成する板のガイド(右)  ５  自在矩形孔の長辺の移動板を上下させて短辺の長さを調節するビス      ６  自在矩形孔の長辺の板を上下させるビスのガイド        ７  自在矩形孔の長辺を形成する板のガイド(左)    ８  自在矩形孔の長辺の固定板を固定する枠      ９  本発明の自在矩形分別孔の矩形の短辺を形成する固定板      １０  本発明の自在矩形分別孔の矩形の長辺を形成する移動板    １００  本発明の自在矩形孔
（図９）  １１    自在矩形の短辺を形成する板のガイドの、長辺の長さを計測するための透明部分
（図１０）  １２    自在矩形孔の短辺の板を左右させるビスのガイド  
１３  自在矩形の長辺を形成する板の、短辺の長さを計測するためのガイドの透明部分
（図１１）１  ケーシング底部            ２  コイン取出透明開閉蓋  
３  下部コイン分別孔（図２表１N0.2矩形分別孔）  ４  上部コイン分別孔（図２表１N0.4矩形分別孔）  ５    開閉式コイン投入口      ６  ケーシング上部      ７  コイン移動フロア
（図１７）１  留め金ピン回転取っ手  ２  留め金ピン  ３  留め金ピン固定金具  ４  留め金ピンの先端を受けたケーシング側壁のテーパー付き脱気孔（蓋閉塞時）
５  留め金ピンの先端を外したケーシング側壁のテーパー付き脱気孔（蓋開放時）
【図１】
0004687947.tif 000002
【図２】
0004687947.tif 000003
【図３】
0004687947.tif 000004
【図４】
0004687947.tif 000005
【図５】
0004687947.tif 000006
【図６】
0004687947.tif 000007
【図７】
0004687947.tif 000008
【図８】
0004687947.tif 000009
【図９】
0004687947.tif 000010
【図１０】
0004687947.tif 000011
【図１１】
0004687947.tif 000012
【図１２】
0004687947.tif 000013
【図１３】
0004687947.tif 000014
【図１４】
0004687947.tif 000015
【図１５】
0004687947.tif 000016
【図１６】
0004687947.tif 000017
【図１７】
0004687947.tif 000018